(57)【要約】【課題】エアバッグからの排気音がエアと共に本体ケースから大気に漏れることのないエアバッグ用エア給排気装置を提供すること。【解決手段】平坦な載置面８に底面９ａが密接可能な底壁９を有する本体ケース４と、本体ケース４内に配設されたエアポンプ５と、本体ケース４内に配設されてエアポンプ５から吐出されるエアをエアバッグ２ａ〜２ｎに給気又はエアバッグ２ａ〜２ｎにからのエアの排気を行う給排気切替手段６を備える。また、底壁９の周縁部に底面９ａに開口する持ち運びのための取手用凹部１１が形成されていると共に、給排気切替手段６のエア排気口が取手用凹部１１に接続され、取手用凹部１１と本体ケース４内に連通するエア排気風路１３が底壁９に形成されている。【選択図】  図２
2005211216.tif 000002
【特許請求の範囲】
【請求項１】
平坦な載置面に底面が密接可能な底壁を有する本体ケースと、前記本体ケース内に配設されたエアポンプと、前記本体ケース内に配設されて前記エアポンプから吐出されるエアをエアバッグに給気又は前記エアバッグからのエアの排気を行う給排気切替手段を備えるエアバッグ用エア給排気装置であって、
前記底壁の周縁部に前記底面に開口する持ち運びのための取手用凹部が形成されていると共に、前記給排気切替手段のエア排気口が前記取手用凹部に接続され、前記取手用凹部と本体ケース内に連通する排気風路が前記底壁に形成されていることを特徴とするエアバッグ用エア給排気装置。
【発明の詳細な説明】
【技術分野】
【０００１】
この発明は、エアバッグに対してエアを給排気するためのエアバッグ用エア給排気装置に関するものである。
【背景技術】
【０００２】
この種のエアバッグ用エア給排気装置としては、上面に持ち運び用の取手が設けられた本体ケースと、この本体ケース内に配設されたエアポンプと、この本体ケース内に配設されて前記エアポンプから吐出されるエアをエアバッグに給気又は前記エアバッグからのエアの排気を行う給排気切替手段を備えたものがある。
【０００３】
このエアバッグ用エア給排気装置においては、膨張させたエアバッグを収縮させる際に、エアバッグから給排気切替手段を介して排気されるエアの排気音が騒音となるものであった。
【０００４】
この排気音をできるだけ小さくするために、例えば本体ケースの底壁に内部に突出する筒部を設け、この底壁に筒部内に連通する小径の排気孔を形成し、前記筒部内にエアフィルタを配設すると共に、この筒部の開口端部を接続パイプ部が設けられたキャップで閉成して、この接続パイプ部に給排気切替手段の排気口をエアホース等で接続したエアバッグ用エア給排気装置も知られている（例えば、特許文献１参照）。
【０００５】
この構成においては、エアバッグのエアを給排気手段を介して筒部内に案内することにより、この筒部内に案内されたエアがフィルタを透過して排気孔から大気に排出されるようになっている。そして、このエアの排気音はフィルタを透過する際にある程度消音されるようになっている。
【特許文献１】特開平６−３３５５１２号公報
【発明の開示】
【発明が解決しようとする課題】
【０００６】
しかしながら、従来のエアバッグ用エア給排気装置では、排気音がフィルタによりある程度消音されても、エアが大気に排気されるために、消音しきれなかった残りの排気音がエアと共に大気に漏れてしまうという問題があった。
【０００７】
そこで、この発明は、エアバッグからの排気音がエアと共に本体ケースから大気に漏れることのないエアバッグ用エア給排気装置を提供することを目的とするものである。
【課題を解決するための手段】
【０００８】
この目的を達成するため、請求項１に記載の発明は、平坦な載置面に底面が密接可能な底壁を有する本体ケースと、前記本体ケース内に配設されたエアポンプと、前記本体ケース内に配設されて前記エアポンプから吐出されるエアをエアバッグに給気又は前記エアバッグからのエアの排気を行う給排気切替手段を備えるエアバッグ用エア給排気装置であって、前記底壁の周縁部に前記底面に開口する持ち運びのための取手用凹部が形成されていると共に、前記給排気切替手段のエア排気口が前記取手用凹部に接続され、前記取手用凹部と本体ケース内に連通する排気風路が前記底壁に形成されているエアバッグ用エア給排気装置としたことを特徴とする。
【発明の効果】
【０００９】
この構成によれば、本体ケースを容易に持ち運びできる取手用凹部を本体ケースの一部に形成し、取手用凹部と載置面とで消音用空間を形成して排気音を消音できる。更に、本体ケース内に案内されて拡散反射して消音される。
【発明を実施するための最良の形態】
【００１０】
以下、この発明の実施の形態を図面に基づいて説明する。
【００１１】
図３において、１はエアマッサージ装置である。このエアマッサージ装置１は、エアバッグ２ａ〜２ｎと、このエアバッグ２ａ〜２ｎにエアの給排気をするエアバッグ用エア給排気装置３を有する。このエアマッサージ装置１は、エアバッグ２ａ〜２ｎをマットに設けた場合にはマット式エアマッサージ装置となり、椅子の座部や背凭れに設けた場合には椅子式エアマッサージ装置となる。
【００１２】
このエアバッグ用エア給排気装置３は、図１（ａ）に示した下ケース４ａ及び上ケース４ｂを備える本体ケース４と、本体ケース４内に配設されたエアポンプ５と、図１（ａ）の如く本体ケース４内に配設された給排気切替手段６と、エアポンプ５及び給排気切替手段６を作動制御する制御装置（制御手段）としての演算制御回路７を有する。
【００１３】
この給排気切替手段６は、エアポンプ５のエア吐出口５ａとエアバッグ２ａ〜２ｎとをそれぞれ接続している複数の電磁弁６ａ〜６ｎを有する。
【００１４】
しかも、この電磁弁６ａは、エアポンプ５のエア吐出口５ａとエアバッグ２ａを連通させるエア給気位置（第１の位置）と、エアポンプ５のエア吐出口５ａとエアバッグ２ａの連通を遮断してエアバッグ２ａの膨張状態を保持する膨張保持位置（第２の位置）と、エアバッグ２ａのエアを排気させるエア排気位置（第３の位置）を有する。同様に電磁弁６ｂ〜６ｎも、電磁弁６ａと同様なエア給気位置（第１の位置），膨張保持位置（第２の位置）及びエア排気位置（第３の位置）を有する。
【００１５】
尚、各電磁弁６ａ〜６ｎは演算制御回路７により制御されるようになっている。また、図３において、６ａ１〜６ａｎは電磁弁６ａ〜６ｎの図示しないエア排気口に接続されたエア排気ホースである。
【００１６】
また、下ケース４は、平坦な載置面８に密接するように当接可能な底壁９を有する。この底壁９の周縁部には、一部を本体ケース４の内側に膨出させた膨出突部１０が形成されている。この膨出突部１０内には、底面９ａに開口する持ち運びのための取手用凹部１１が形成されている。
【００１７】
更に、膨出突部１０には、本体ケース４内に突出して取手用凹部１１に連通する接続筒部１２ａ１〜１２ａｎが形成されていると共に、取手用凹部１１と本体ケース４内に連通するエア排気風路１３が形成されている。そして、接続筒部１２ａ〜１２ｎにはエア排気ホース６ａ１〜６ａｎが接続されている。尚、図１（ｂ）は図２のＡ２−Ａ２線に沿って断面しているので、この図１（ｂ）には図２のエア排気風路１３が図示されない状態となっている。
【００１８】
また、演算制御回路７にはリモコン１４が接続されている。この演算制御回路７は、リモコン１４の操作によりエアポンプ５及び給排気切替手段６の電磁弁６ａ〜６ｎを作動制御して、エアバッグ２ａ〜２ｎを膨張・収縮させるようになっている。このエアバッグ２ａ〜２ｎの膨張・収縮は選択的に個別に行うこともできるし、一定の順序でエアバッグ２ａ〜２ｎを膨張・収縮させるコースマッサージを行うこともできる。
【００１９】
次に、この様な構成のエアマッサージ装置１の作用を説明する。
【００２０】
このエアマッサージ装置１のエアバッグ用エア給排気装置３は、本体ケース４の取手用凹部１１に手先を入れて本体ケース４の周縁部を掴むことで、容易に持ち運びすることができる。
【００２１】
また、エアマッサージ装置１を使用する場合には、本体ケース４の底壁９を平坦な載置面８に当接させて、底壁９の底面９ａを載置面８に密接させる。この状態では、取手用凹部１１と載置面８との間に密閉された空間（消音用空間）１５が形成される。
【００２２】
一方、エアマッサージ装置１では、リモコン１４を操作して演算制御回路７によりエアポンプ５を作動させると共に、演算制御回路７により給排気切替手段６の電磁弁６ａをエア給気位置にさせると、エアバッグ２ａが膨張させられる。また、このエアバッグ２ａが所定量膨張させられた状態で、給排気切替手段６の電磁弁６ａが演算制御回路７により膨張保持位置に切り換えられると、エアバッグ２ａが所定量膨張した状態に保持される。
【００２３】
さらに、給排気切替手段６の電磁弁６ａが演算制御回路７によりエア排気位置に切り換えられると、エアバッグ２ａ内のエアが電磁弁６ａ，エア排気ホース６ａ１，空間１５及びエア排気風路１３を介して本体ケース４内に排気され、エアバッグ２ａが収縮される。
【００２４】
このようなエアバッグ２ａの膨張・収縮によりエアマッサージ装置１の利用者の身体がエアバッグ２ａによりマッサージされる。尚、エアバッグ２ｂ〜２ｎについても同様である。
【００２５】
ところで、エアバッグ２ａ〜２ｎの収縮に伴い、エアバッグ２ａ〜２ｎから排気されるエアが電磁弁６ａ〜６ｎの図示しないエア排気口からエア排気ホース６ａ１〜６ｎ１を介して空間（消音空間）１５内に流入させられて、空間１５内で拡散した後、エア排気風路１３を介して本体ケース４内に流入して更に拡散される。この際、エアの排気音は、空間１５内に導かれて拡散反射して消音された後、更にエア排気風路１３から本体ケース４内に案内されて拡散反射して消音される。
【００２６】
以上説明した実施例では、給排気切替手段６に電磁弁６ａ〜６ｎを用いた例を示したが、必ずしもこれに限定されるものではない。例えば、給排気切替手段６に代えてロータリーバルブ等の給排気切替手段を用いることもできる。
【００２７】
尚、取手用凹部１１の周辺を囲むように底面９ａにシール材を取り付けることも可能で、これにより空間（消音空間）１５の密閉度を増すことができる。
【図面の簡単な説明】
【００２８】
【図１】（ａ）はエアバッグ用エア給排気装置の概略斜視図、（ｂ）は（ａ）の部分縦断面図である。
【図２】図１（ｂ）の膨出突部を矢印Ａ１方向からみた平面図である。
【図３】図１のエアバッグ用エア給排気装置を備えるエアマッサージ装置の制御回路図である。
【符号の説明】
【００２９】
２ａ〜２ｎ…エアバッグ
４…本体ケース
５…エアポンプ
６…給排気切替手段
８…載置面
９…底壁
９ａ…底面
１１…取手用凹部
１３…エア排気風路
【図１】
2005211216.tif 000003
【図２】
2005211216.tif 000004
【図３】
2005211216.tif 000005